(57)【要約】【課題】  起動時におけるＨＤＤのサーチ動作を短縮化し、使い勝手に優れた放送受信装置、その記録方法を、更には、そのための情報記録装置を提供する。【解決手段】  放送受信装置は、放送された番組を受信するチューナ部と、チューナ部からの信号を所定のフォーマットに変換するＥＰＥＧデコーダ１２６と、更に、変換されたデジタル信号を記録するハードディスクドライブ（ＨＤＤ）３００を備えており、電源部４００が投入された際、その直前における電源遮断が正常か否かを判定し、正常であれば、直前の電源遮断時に記録したＨＤＤ３００のビットマップを入力し、他方、正常でなければ、最新のビットマップ情報を生成して、ＨＤＤの記録・再生動作を最適に管理する。【選択図】      図１
2006065915.tif 000002
【特許請求の範囲】
【請求項１】
放送された番組を受信して、当該受信番組を情報記録媒体上に記録する放送番組の記録方法であって、当該受信番組を記録する前記情報記録媒体は、ビットマップ情報を基にして情報の記録動作が行われており、かつ、前記情報記録媒体の電源が投入された際、その直前における前記電源の遮断が正常か否かを判定し、当該判定の結果により、前記情報記録媒体のビットマップ情報を生成するか否かを決定することを特徴とする放送番組の記録方法。
【請求項２】
前記請求項１に記載された放送番組の記録方法において、前記直前における前記電源の遮断が正常か否かを判定した結果、正常である場合には、記録しておいたビットマップ情報を入力して情報の記録動作を行い、他方、正常でない場合には、前記情報記録媒体のビットマップ情報を生成することを特徴とする放送番組の記録方法。
【請求項３】
前記請求項１に記載された放送番組の記録方法において、更に、当該放送番組を、画像情報とそれデータ情報とに分離し、かつ、前記画像情報と前記データ情報とを、前記情報記録媒体上で分離されて互いに異なる領域に記録することを特徴とする放送番組の記録方法。
【請求項４】
放送された番組を受信するチューナ部と、前記チューナ部からの信号を所定のフォーマットに変換する受信信号変換部と、前記受信信号変換部により変換された信号を記録する情報記録媒体を備えた情報記録部とを備えており、前記受信した放送番組を前記情報記録部に記録することが可能な放送受信装置であって、商用電源に接続されて前記装置の少なくとも前記情報記録部を含む各部に所要の電源を供給する電源部を備えた装置において、更に、前記情報記録部の前記情報記録媒体はビットマップ情報によって記録動作が制御されており、かつ、前記情報記録部は、前記電源部が投入された際、その直前における前記電源部の遮断が正常か否かを判定し、当該判定の結果により、前記情報記録媒体のビットマップ情報を生成するか否かを決定することを特徴とする放送受信装置。
【請求項５】
前記請求項４に記載された放送受信装置において、前記情報記録部は、前記直前における前記電源部の遮断が正常か否かを判定した結果、正常である場合には、記録しておいたビットマップ情報を入力して情報の記録動作を行い、他方、正常でない場合には、前記情報記録媒体のビットマップ情報を生成することを特徴とする放送受信装置。
【請求項６】
前記請求項４に記載された放送受信装置において、前記情報記録部は、ハードディスクにより構成されていることを特徴とする放送受信装置。
【請求項７】
前記請求項４に記載された放送受信装置において、前記情報記録部は、当該放送番組を、画像情報とそれデータ情報とに分離し、かつ、前記画像情報と前記データ情報とを、前記情報記録媒体上で分離されて互いに異なる領域に記録することを特徴とする放送受信装置。
【請求項８】
放送番組を記録することが可能な情報記録装置であって、商用電源に接続されて当該装置に所要の電源を供給する電源部を備えた装置において、更に、前記情報記録装置の記録媒体はビットマップ情報によって記録動作が制御されており、かつ、前記情報記録装置は、前記電源部が投入された際、その直前における前記電源部の遮断が正常か否かを判定し、当該判定の結果により、前記記録媒体のビットマップ情報を生成するか否かを決定することを特徴とする情報記録装置。
【請求項９】
前記請求項８に記載した情報記録装置は、ハードディスク装置により構成されていることを特徴とする情報記録装置。
【請求項１０】
前記請求項８に記載された情報記録装置において、当該放送番組を、画像情報とそれデータ情報とに分離し、かつ、前記画像情報と前記データ情報とを、前記記録媒体上で分離して、互いに異なる領域に記録することを特徴とする情報記録装置。
【発明の詳細な説明】
【技術分野】
【０００１】
本発明は、デジタル方式やアナログ方式を含め、放送により送られるＡＶ（オーディオ・ビデオ）コンテンツを取り扱うための装置及びその方法に関し、特に、放送番組を、内蔵したＨＤＤ等の情報記録媒体上に、簡単に、録画が可能な放送受信装置とその放送番組の記録方法に関し、更には、そのための情報記録装置に関する。
【背景技術】
【０００２】
近年、従来からのアナログ方式のテレビジョン放送に加え、放送衛星、通信衛星などによる放送、更には、地上波による放送おいても、デジタル方式のテレビジョン放送が普及しつつあり、一般の家庭においても、各種の放送を受信するためシステムが普及してきている。なお、かかるシステムにおいては、従来のアナログ放送だけの場合に比較し、多数のチャネルを確保することが可能であることから、極めて多くの数の番組が放送されている。また、同時に、かかる多数の放送番組を記録・再生するため、所謂、デジタルＶＴＲやディスクレコーダ等、各種のＡＶ装置が次々と製品化されてきている。
【０００３】
また、最近では、情報伝送の高速化（例えば、２０Ｍｂｐｓ）と共に、例えば、ハードディスクドライブ（ＨＤＤ）等の大容量の情報記録媒体を内蔵し、もって、多数のチャネルを受信すると共に、このＨＤＤを用いて映像・音声ストリームデータを記録することが可能な、所謂、ＨＤＤレコーダと呼ばれるストリーム記録再生装置が実現されてきている。なお、かかるストリーム記録再生装置に使用されるデータ記録装置である、所謂、ディスク状記録媒体であって、停電等の原因によって装置が停止した場合でも、その後のデータの読み出しを確実に可能にするための技術が、例えば、以下の特許文献１により、既に知られている。
【０００４】
【特許文献１】特開２００２−３２９７５号公報
【発明の開示】
【発明が解決しようとする課題】
【０００５】
ところで、上述したストリーム記録再生装置では、通常、装置の起動時（電源のオン（投入））において、ハードディスクドライブ（ＨＤＤ）上でのデータの格納状態やその空き領域などを含めたサーチが行われ、もって、その後の当該情報記録媒体における情報の記録・再生動作を最適に管理することが行われている。なお、その際、従来技術においては、受信装置により受信した放送番組である情報を上記ＨＤＤ上に記録する場合、例えば、ＵＤＦ（Universal disk format）と呼ばれる規格に基づいて、映像・音声ストリームデータを上記ＨＤＤへの書き込みの単位（１９８０Ｋバイト）で記録すると共に、それ以外のデータ（例えば、番組情報など）については、２Ｋバイトを単位とするセクタにより、記録することが行われていた。そのため、上記ＨＤＤ上での情報記録状態を管理するためには、上記のセクタを単位とした、ＵＤＦビットマップと呼ばれるビットマップ情報を作成すると共に、更には、上記映像・音声ストリームデータのＨＤＤへの書き込み単位（１９８０Ｋバイト）による、ＡＵビットマップと呼ばれるビットマップ情報を作成することが行われている。
【０００６】
即ち、上述したように、上記の従来技術では、装置の起動の際、ＨＤＤの最適管理を実現するため、当該ＨＤＤの情報記録媒体であるディスクを、２Ｋバイトを単位とするセクタによってサーチを行い、更には、ＨＤＤへの書き込み単位（１９８０Ｋバイト）によってサーチを行い、もって、ＨＤＤでのデータの格納状態やその空き領域などを確認する。このように、従来技術では、装置の起動の際には、必ず、当該ＨＤＤを最適に管理するためのビットマップ情報を作成するためのサーチ動作が必要となり、そのため、装置の起動が完了するまでに比較的長い時間が必要となり、装置の起動が遅く、使用者にとっては使い勝手の悪いものとなっていた。
【０００７】
そこで、本発明は、上述した従来技術における問題点に鑑みて成されたものであり、すなわち、特に、装置の起動時における、サーチ動作を短縮化し、その起動を迅速にし、もって、使い勝手に優れた放送受信装置と、その放送番組の記録方法を、更には、そのための情報記録装置を提供することを目的とする。
【課題を解決するための手段】
【０００８】
上記の目的を達成するため、まず、本発明によれば、放送された番組を受信して、当該受信番組を情報記録媒体上に記録する放送番組の記録方法であって、当該受信番組を記録する前記情報記録媒体は、ビットマップ情報を基にして情報の記録動作が行われており、かつ、前記情報記録媒体の電源が投入された際、その直前における前記電源の遮断が正常か否かを判定し、当該判定の結果により、前記情報記録媒体のビットマップ情報を生成するか否かを決定する放送番組の記録方法が提供される。
【０００９】
なお、本発明では、前記放送番組の記録方法において、前記直前における前記電源の遮断が正常か否かを判定した結果、正常である場合には、記録しておいたビットマップ情報を入力して情報の記録動作を行い、他方、正常でない場合には、前記情報記録媒体のビットマップ情報を生成することが、又は、更に、当該放送番組を、画像情報とそれデータ情報とに分離し、かつ、前記画像情報と前記データ情報とを、前記情報記録媒体上で分離されて互いに異なる領域に記録することが好ましい。
【００１０】
また、本発明によれば、やはり上記の目的を達成するため、放送された番組を受信するチューナ部と、前記チューナ部からの信号を所定のフォーマットに変換する受信信号変換部と、前記受信信号変換部により変換された信号を記録する情報記録媒体を備えた情報記録部とを備えており、前記受信した放送番組を前記情報記録部に記録することが可能な放送受信装置であって、商用電源に接続されて前記装置の少なくとも前記情報記録部を含む各部に所要の電源を供給する電源部を備えた装置において、更に、前記情報記録部の前記情報記録媒体はビットマップ情報によって記録動作が制御されており、かつ、前記情報記録部は、前記電源部が投入された際、その直前における前記電源部の遮断が正常か否かを判定し、当該判定の結果により、前記情報記録媒体のビットマップ情報を生成するか否かを決定する放送受信装置が提供される。
【００１１】
更には、本発明によれば、やはり上記の目的を達成するため、放送番組を記録することが可能な情報記録装置であって、商用電源に接続されて当該装置に所要の電源を供給する電源部を備えた装置において、更に、前記情報記録装置の記録媒体はビットマップ情報によって記録動作が制御されており、かつ、前記情報記録装置は、前記電源部が投入された際、その直前における前記電源部の遮断が正常か否かを判定し、当該判定の結果により、前記記録媒体のビットマップ情報を生成するか否かを決定する情報記録装置が提供される。
【００１２】
なお、本発明では、前記の放送受信装置又は情報記録装置においては、前記情報記録部は、前記直前における前記電源部の遮断が正常か否かを判定した結果、正常である場合には、記録しておいたビットマップ情報を入力して情報の記録動作を行い、他方、正常でない場合には、前記情報記録媒体のビットマップ情報を生成し、又は、前記情報記録部は、ハードディスクにより構成されていることが好ましい。更には、前記情報記録部は、当該放送番組を、画像情報とそれデータ情報とに分離し、かつ、前記画像情報と前記データ情報とを、前記情報記録媒体上で分離されて互いに異なる領域に記録することが好ましい。
【発明の効果】
【００１３】
上記したように、本発明になる放送番組の記録方法及び放送受信装置、更には、そのための情報記録装置によれば、その起動時において必要な情報記録媒体サーチを含む初期化動作を、効率的、かつ、迅速に実現可能とし、もって、その後の放送受信装置の記録・再生動作を最適に管理することが可能となり、使用者にとって使い勝手の良い放送受信装置を提供することが可能となるという優れた効果を発揮する。
【発明を実施するための最良の形態】
【００１４】
以下、本発明の実施の形態について、添付の図面を用いて詳細に説明する。
【００１５】
まず、添付の図３は、本発明の一実施の形態になる、その内部に情報記録装置を内蔵した放送受信装置の構成の一例を示すブロック図であり、この図において、符号１００は、デジタル及びアナログ放送を受信して、その放送内容（映像・音声による番組、データ放送による番組、データ放送によるデータを含む）を、例えば、プラズマディスプレイパネルや液晶ディスプレイパネルなど、所謂、フラットパネルディスプレイ（ＦＰＤ）２００上に表示するＡＶ機器（放送受信装置）を示している。
【００１６】
図３において、符号１１０は、放送されたデジタル放送を受信するためのパラボラアンテナを示しており、このアンテナ１１０からのＲＦ信号は、上記デジタル放送受信装置１００においてデジタルチューナモジュール（又は、フロントエンド）１２０を構成するデジタルチューナ１２１に供給されて復調される。このデジタルチューナ１２１の出力は、やはりチューナモジュール１２０を構成する、例えば、ＱＰＳＫ復調回路１２２に供給され、これによりＱＰＳＫ復調が行なわれる。その後、このＱＰＳＫ復調回路１２２の出力は、やはり上記チューナモジュール１２０を構成するエラー訂正回路１２３に供給され、ここで、伝送中に生じたエラーが検出されて訂正が行なわれる。すなわち、このチューナモジュール１２０は、指定された周波数の信号を選局し、ＴＳ（トランスポートストリーム）を抽出する。
【００１７】
デマルチプレクサ１２４は、上記デジタルチューナモジュール１２０のエラー訂正回路１２３から出力される信号を入力し、データバッファメモリ（ＤＲＡＭ(Dynamic Random Access Memory)又はＳＲＡＭ(Static Random Access Memory)１２５に一旦記憶した後、適宜これを読み出して解読し、この解読した映像・音声信号をＭＰＥＧデコーダ１２６に供給する。すなわち、このデマルチプレクサ１２４におけるデマルチプレックス処理は、送信側における多重装置（ＭＵＸ）において映像や音声などの複数のストリームが多重されたトランスポートストリーム（ＴＳ）から、必要なストリームを取り出す処理であり、様々なストリームのパケットの中から、必要とするストリームを取り出すための、所謂、フィルタリングを行なう。すなわち、あるチャンネルに選局した場合、そのチャンネルのＰＭＴには、そのチャンネルのサービスを構成する映像や音声ストリームのＰＩＤ（パケットＩＤ）が指定されており、そこで、受信器側では、そのＰＩＤのパケットをフィルタリングして、映像や音声のストリームを取り出すことで、番組を提示することが出来る。
【００１８】
上記のデマルチプレクサ１２４には、更に、ＣＰＵ、ＲＯＭ及びＲＡＭ等を内蔵するＩＣカードにより構成されたＣＡＭ(Conditional Access Module)１３０を挿入して、そこに記憶されたキーを読み出すためのカードリーダインターフェース（Ｉ／Ｆ）１３１が接続されている。即ち、このＩＣカード１３０には、暗号を解読するために必要なキーが、解読プログラムと共に格納されており、例えば、有料放送などスクランブルを掛けて伝送された信号を提示するため、所謂、デスクランブル処理を行なうためのものである。なお、ここでは、カードリーダＩ／Ｆ１３１を介してＣＡＭ１３０からこのキーが読み出され、デマルチプレクサ１２４に供給され、もって、デマルチプレクサ１２４はこのキーを利用して、暗号化された信号を解読する。
【００１９】
その後、上記のデマルチプレクサ１２４で取り出された映像や音声のストリームは、ＭＰＥＧデコーダ１２６に供給され、このＭＰＥＧデコーダ１２６では、入力されたデジタル信号を内蔵したＤＲＡＭ等に適宜記憶させて、ＭＰＥＧ方式（特に、ＭＰＥＧ２）により圧縮されている映像・音声信号のデーコード（復号化）処理を行なう。
【００２０】
また、この放送受信装置１００は、更に、アナログ放送を受信するためのアンテナ１１１を備えており、更には、アナログ式のチューナモジュールを構成するアナログチューナ１６１、アナログ復調回路１６２、ＮＴＳＣデコーダ１６３をも備えている。このアナログ式チューナモジュールからは、アナログ放送された番組の映像・音声信号が出力される。
【００２１】
このように、上記放送受信装置１００内において、デジタル方式のチューナモジュール１２０により受信された映像・音声信号、そして、上記アナログ式のチューナモジュールで所定の形式に変換された映像・音声信号は、その後、スイッチＳＷ１を介してその一方が選択され、フォーマットコンバータ１２７を介して所定のフォーマットに変換され、例えば、プラズマディスプレイや液晶ディスプレイ等の所謂フラットパネルディスプレイ（ＦＰＤ）２００へ出力されて表示される。または、これらの映像・音声信号は、図にも示すように、例えば、ＣＲＴ、ＶＣＲ等のアナログ外部機器へ出力されており、これによりこれらの外部機器で記録することが可能となっている。なお、ここでは、上記ＭＰＥＧデコーダ１２６で所定の形式に変換された映像・音声信号は、更に、ＮＴＳＣエンコーダ１２８やＤ／Ａ変換器１２９を介して、所謂、ＮＴＳＣフォーマットに変換されて出力される。
【００２２】
また、上記図３において、上記放送受信装置１００内には、ＣＰＵ(Central Processor Unit)１３０が設けられており、このＣＰＵは、ＲＯＭ１３１内に記憶されているプログラムに従って、各種の処理を実行する。例えば、上記デジタルチューナモジュール１２０を構成するデジタルチューナ１２１、ＱＰＳＫ復調回路１２２、エラー訂正回路１２３、上記アナログチューナモジュール等を制御する。また、赤外線制御信号を発生し又は受信するＩＲ送受信部１３５を備えており、上記のＣＰＵ１３０は、このＩＲ送受信部介して、他のＡＶ機器に所定の制御信号を出力し、又は、他のＡＶ機器からの制御信号を受信する。
【００２３】
このＣＰＵ１３０に対しては、装置のフロント面に設けられたフロントパネル１３６の各種の操作ボタンスイッチを操作することにより、各種の指令を直接入力することもできる。また、これとは別に、所謂、リモートコントローラ１４０が設けられており、このリモートコントローラの各種のボタンを操作することによっても各種の指令を入力することが出来、この入力信号は、上記リモートコントローラの先端部に設けられたＩＲ発信部から赤外線として上記ＩＲ送受信部１３２へ出射される。この入力信号は、上記ＣＰＵ１３０に対して入力され、もって、このリモートコントローラを操作することによっても、ＣＰＵに対して所定の指令を入力することが出来る。
【００２４】
そして、上記図３では、更に、上記放送受信装置１００内に、番組のコンテンツ（映像・音声情報）を記録するため、ハードディスクドライブ（ＨＤＤ）３００を内蔵している。なお、このＨＤＤ３００内に記録されるデータは、上記ＭＰＥＧデコーダ１２６で復号化された映像・音声信号を、再び、ＭＰＥＧエンコーダ１５１においてデジタル信号として圧縮し、その後、所定の記録処理を実行してデータの記録を行なうＨＤＤ処理回路１５２を介して、上記ＨＤＤ３００内に記録する。また、図に矢印で示すように、上記ＭＰＥＧデコーダ１２６で復号化された映像・音声信号がこのＨＤＤ処理回路１５２に直接入力されると共に、また、一旦記録した情報を再生する場合には、上記ＨＤＤ３００から読み出された圧縮信号は、このＨＤＤ処理回路１５２を介して、再び、上記ＭＰＥＧデコーダ１２６へ入力される。すなわち、映像・音声信号のデーコード（復号化）処理を行ない、この復号化された映像・音声信号は、フォーマットコンバータ１２７を介して所定のフォーマットに変換されてフラットパネルディスプレイ（ＦＰＤ）２００へ出力され、再生され、又は、ＶＣＲ、ＤＶＤレコーダ等の外部機器へ出力される。なお、この図において、符号ＳＷ２は、上記アナログチューナモジュールから出力される映像・音声信号と、上記デジタルチューナモジュール１２０を介して受信し、上記ＭＰＥＧデコーダ１２６で変換された映像・音声信号とから、その一方を選択するためのスイッチを示している。
【００２５】
また、図にも明らかなように、上記放送受信装置１００内には、更に、例えば、ＤＶＤレコーダ１７０のような、所謂、デジタル情報記録装置が内蔵されており、この上記ＨＤＤ３００から読み出された圧縮信号は、このＨＤＤ処理回路１５２を介して、上記ＤＶＤレコーダ１７０に挿入されたＤＶＤディスク１７１に記録することが可能となっている。また、ＨＤＤ処理回路１５２からは、外部のデジタル記録装置に対してＨＤＤ３００から読み出された信号を出力するための端子が設けられている。
【００２６】
更に、図中の符号４００は、放送受信装置１００内に設けられた上記各部に対して、必要な電源を供給するための電源部を示している。なお、この電源部は、図示しない商用電源からの交流電源を、所望の直流又は交流電力に変換し、少なくとも、上記ＨＤＤ３００にその駆動電源を供給している。そして、この電源部４００は、例えば、図示する押しボタンスイッチ４１０等によって、変換した所望の電力を上記ＨＤＤ３００を含む各部に投入・遮断（オン・オフ）が可能となっている。なお、図中の符号４１１は、この電源部４００を商用電源に接続するためのコンセントを示している。
【００２７】
次に、上記にその詳細構成について説明した本発明になる放送受信装置１００における動作、特に、装置の起動時、即ち、上記電源部４００を投入（オン）した時の動作が、添付の図１に示されている。
【００２８】
図からも明らかなように、まず、上記放送受信装置１００の電源部４００を投入（オン）すると、まず、当該装置の直前の動作において、その電源部４００が正常に遮断（オフ）されたか否かを判定する（ステップＳ１１）。その結果、正常に遮断（オフ）されたと判定された（図の「Ｙｅｓ」）場合には、後にも説明するが、電源の正常な遮断（オフ）時に保存（セーブ）されたビットマップを入力（ロード）する（ステップＳ１２）。他方、直前の動作において、電源が正常に遮断（オフ）していないと判定された（図の「Ｎｏ」）場合には、当該装置の情報記録装置である上記ＨＤＤ３００について、そのビットマップ情報を新たに生成する（ステップＳ１３）。
【００２９】
即ち、添付の図２に示すように、上記ＨＤＤ３００は、その磁気ピックアップを記録媒体であるディスク３１０（ＨＤＤメディア）の表面（物理層）をサーチして、２ＫＢ（バイト）を単位（１セクタ）とするＵＤＦビットマップを作成し、更に、１９８０ＫＢ（バイト）を単位（例えば、１ＡＵ）としたＡＵビットマップを作成する。そして、この作成したビットマップ情報を利用してその空き容量を算出して、上記記録媒体における記録・再生動作を最適に制御することは従来と同様である。
【００３０】
その後、上記放送受信装置１００は、上記電源部４００が遮断（オフ）されたか否かを判定する（ステップＳ１４）。そして、電源が遮断（オフ）されたと判定された（図の「Ｙｅｓ」）場合には、その時点におけるビットマップ情報を、不揮発性のメモリである、例えば、フラッシュメモリや上記ＨＤＤ３００の一部に書き込み（セーブ）（ステップＳ１５）、更に、正常終了の処理を行って（ステップＳ１６）その処理を終了する。なお、ここで、上記の正常終了の処理とは、利用者が上記電源部４００のスイッチを正常に遮断（オフ）した場合に実行される処理である、これにより、例えば、正常に遮断（オフ）したことを、例えば、１ビットの信号である「１」により、やはり、上記のフラッシュメモリや上記ＨＤＤ３００の一部に書き込み、その後、処理を終了する。
【００３１】
以上のように、上述した放送受信装置の起動時の動作によれば、利用者が電源を遮断（オフ）することにより、装置が正常に終了する場合には、必ず、ビットマップ情報のセーブが行われ（上記ステップＳ１５を参照）、更には、その後の正常終了処理において、装置が正常に遮断したことを示す信号が不揮発性のメモリ上に記録される。そのため、その直後に、再度、放送受信装置を起動する場合には、この装置の不揮発性メモリに記録された上記の情報を確認することによれば、上記ステップＳ１１で説明したように、直前の動作において、その電源部４００が正常に遮断（オフ）されたか否かを判定するが出来る。また、上述したように、装置が正常に終了する場合には、必ず、ビットマップ情報のセーブが行われることから、その後に、装置を再起動した場合、このセーブ（記録）したビットマップ情報を入力（ロード）することにより、上記ＨＤＤ３００の最新のビットマップ情報が得られることとなる。
【００３２】
なお、上記において、装置が正常に終了（即ち、遮断（オフ））しなかった場合とは、例えば、上記電源部４００に外部より電力を供給する商用電源が停電し、又は、何らかの原因で、上記電源部を商用電源に接続するコンセントが不意に外れた場合などを意味する。かかる場合は、上記図１に示したフローチャートでは、電源オフの判定（上記ステップ１４参照）の結果「Ｎｏ」となって、再び、上記ステップ１４へ戻るルーチンを繰り返している間に生じることとなる。そのことから、この場合には、上記ステップＳ１５でのビットマップ情報のセーブ、そして、上記ステップＳ１６の正常終了処理は行われず、装置は停止に到る。そのため、その直後、装置を、再度起動した場合には、上記ステップ１１において、正常に電源が遮断（オフ）されなかった（図の「Ｎｏ」）と判定され、上記ステップＳ１３に示したように、上記ＨＤＤ３００について、そのビットマップ情報を新たに生成する。
【００３３】
このように、上記にその詳細を説明した放送受信装置では、特に、その起動時において、その直前の電源の遮断（オフ）が正常に行われていた（即ち、最新のビットマップ情報がセーブされている）場合には、そのセーブされたビットマップ情報を利用することにより、上記ＨＤＤ３００における記録・再生動作を最適に制御する。他方、その直前の電源の遮断（オフ）が正常に行われていない（即ち、最新のビットマップ情報がセーブされていない）場合には、その起動に伴って、上記ＨＤＤ３００の記録領域をサーチし、最新のビットマップ情報を生成し、もって、その記録・再生動作を最適に制御する。即ち、時間のかかるＨＤＤ３００の記録領域のサーチ動作を、電源の正常な遮断（オフ）時には省略することが可能となり、サーチ動作を短縮化し、即ち、装置の起動を迅速化し、もって、使い勝手に優れた放送受信装置を提供することが可能となる。
【００３４】
更に、添付の図４には、本発明の他の実施例、特に、上述した放送受信装置において、受信した映像・音声のストリームデータを記録する情報記録媒体である、上記ＨＤＤ３００の変形例について、以下に説明する。
【００３５】
この変形例によれば、図４（ａ）からも明らかなように、上記ＨＤＤ３００は、その記録領域３１０を、管理データ領域３１１（又は、単に「データ領域」）と、ストリームデータ領域（又は、単に「ストリーム領域」）３１２とに分割されると共に、それぞれ、所定の記録情報の単位によってフォーマットされている。より具体的には、上記管理データ領域３１１は、２ＫＢ（バイト）を単位（１セクタ）としてフォーマットされており、他方、ストリームデータ領域３１２は、１９８０ＫＢ（バイト）を単位（例えば、１ＡＵ）として、予め、フォーマットが行われている。
【００３６】
なお、ここで、上述した「ストリームデータ」とは、上記した放送受信装置１００によって得られた映像・音声のデジタル化された信号（データ）であり、他方、「管理データ」とは、上記ストリームデータ以外のデータであり、例えば、録画された番組のサムネイル、録画後に視聴したか否かを判定する情報等である。
【００３７】
また、添付の図４（ｂ）にも示すように、上記ＨＤＤ３００により構成されるＵＤＦファイルシステム３１０内において、従来「管理データ」と「ストリームデータ」とを混合（重複）して記録・管理されていた「ＵＤＦデータ領域」を、上述した「データ領域」３１１と「ストリーム領域」３１２とに分離したものである。すなわち、一般的に、上述した「ストリームデータ」は、上記「管理データ」に比較すると、そのデータ容量が非常に大きく、そのため、これら「データ領域」３１１と「ストリーム領域」３１２とを、それぞれ、ディスク３１０上の異なる領域に格納し、かつ、それぞれに管理することによれば、より効率的なディスク管理が可能となるという、本発明者により知見に基づいて達成されたものである。なお、この図では、ＨＤＤメディア３１０上の記録領域を、図の左側を円板状媒体の内側に、図の右側をその外周側として示しており、この図における「管理」は、上記ＵＤＦファイルシステムを構成するＨＤＤを管理するための管理情報を格納する領域であり、また、「Ｂｉｔ」は、ビットマップ情報を格納するための領域を示している。なお、これら「データ領域」３１１と「ストリーム領域」３１２に関する情報である「エリア分割情報」は、上記ＨＤＤをフォーマットしてＵＤＦファイルシステムを作成する際、予め作成し、例えば、その「管理」領域などに記録しておく。
【００３８】
そして、上記図１のステップＳ１３に示したビットマップの生成処理においては、例えば、ＨＤＤ３００の一部に予め記録したエリア分割情報を入力し、このエリア分割情報に従って、上記ＵＤＦファイルシステムを構成する「データ領域」３１１をサーチし、そのビットマップを作成し、更に、「ストリーム領域」３１２をサーチし、同様に、ビットマップを作成する。なお、これらの作成したビットマップ情報は、例えばフラッシュメモリ等に格納する。なお、その際、上記「データ領域」３１１については、これを管理している２ＫＢ（バイト）を単位（１セクタ）として実行し、他方、「ストリーム領域」３１２については、例えば、１９８０ＫＢ（バイト）を単位（例えば、１ＡＵ）として実行する。なお、その後、上記ＨＤＤ３００では、上記のようにして作成したビットマップに基づいて、その空き容量を算出することによりその空き容量を求めることは、従来と同様であり、ここでは、詳細な説明を省略する。
【００３９】
以上のように、放送受信装置１００における情報記録装置として設けられた上記ＨＤＤ３００によれば、上記ステップＳ１３のビットマップの作成時において実行される処理である、ＨＤＤメディア３１０上での空き領域などを含めたサーチを、それぞれ、そのデータ容量が大きく異なる「ストリームデータ」を格納する「ストリーム領域」３１２と、「管理データ」を格納する「データ領域」３１１とで、その単位を異ならせて実行することにより、より効率的で、かつ、迅速に実現可能とし、もって、その後の放送受信装置の情報記録装置における記録・再生動作を最適に管理することを可能とする。
【００４０】
なお、上記の説明では、上記ＨＤＤ３００のＨＤＤメディア３１０上においては、上記「管理データ」を格納する「データ領域」３１１を、「ストリームデータ」を格納する「ストリーム領域」３１２の内側に配置し、また、上記の起動処理（初期化）の説明においても、「データ領域」３１１のサーチを「ストリーム領域」３１２の前に行うものとして説明したが、しかしながら、本発明はこれにのみ限られることなく、「データ領域」３１１を「ストリーム領域」３１２の外周側に配置してもよく、また、「データ領域」３１１のサーチに先立って「ストリーム領域」３１２を行ってもよい。
【図面の簡単な説明】
【００４１】
【図１】本発明の実施の形態になる放送受信装置における起動時の動作を説明するフローチャート図である。
【図２】上記放送受信装置の起動時における動作のうち、特に、ビットマップ作成の動作を説明するための図である。
【図３】上記放送受信装置における内部詳細構成を示すブロック図である。
【図４】本発明の他の実施例になる放送受信装置の、特に、情報記録媒体であるＨＤＤ３００について説明する図である。
【符号の説明】
【００４２】
１００  デジタル放送受信装置
１６１  アナログチューナ
１２０  チューナモジュール
１２４  マルチプレクサ
１２６  ＭＰＥＧデコーダ
３００  ハードディスクドライブ（ＨＤＤ）
３１０  ＨＤＤメディア（ディスク）
３１１  管理データ領域
３１２  ストリームデータ領域
４００  電源部
【図１】
2006065915.tif 000003
【図２】
2006065915.tif 000004
【図３】
2006065915.tif 000005
【図４】
2006065915.tif 000006